(57)【要約】【課題】  増毛貼着シートを思い通りの位置に正確にかつしわ付きなく貼り付けることができながら、その貼り付けを確実に行えるようにすること。【解決手段】  外側円筒体２と、外側円筒体２内に挿入可能な内側円筒体３と、内側円筒体３の上方開口部に差し込み可能なキャップ体４とからなり、外側円筒体２の内面下部に下端から上方に延び、その上端から周方向延びる逆Ｌ状のガイド溝２１を複数形成する一方、内側円筒体３を外側円筒体２よりも長く形成すると共に、内側円筒体３の下部にガイド溝２１に突入可能な複数の突起部３２を突設して、内側円筒体３を外側円筒体２の下方から挿入して突起部３２をガイド溝２１に沿わせて上方に移動させ周方向に回転させることにより内側円筒体３を外側円筒体２の下面よりも上方に位置する組付位置に保持可能とした。【選択図】図１
2008274504.tif 000002
【特許請求の範囲】
【請求項１】
外側円筒体と、外側円筒体内に挿入可能な内側円筒体と、内側円筒体の上方開口部に差し込み可能なキャップ体とからなり、外側円筒体の内面下部に下端から上方に延び、その上端から周方向延びる逆Ｌ状のガイド溝を複数形成する一方、内側円筒体を外側円筒体よりも長く形成すると共に、内側円筒体の下部に上記ガイド溝に突入可能な複数の突起部を突設して、内側円筒体を外側円筒体の下方から挿入して上記突起部をガイド溝に沿わせて上方に移動させ周方向に回転させることにより内側円筒体を外側円筒体の下面よりも上方に位置する組付位置に保持可能としたことを特徴とする増毛用スティック。
【請求項２】
増毛用髪が植設された剥離紙付きの円形状増毛貼着シートを用い、増毛貼着シートにおける増毛用髪を組付位置に保持した内側円筒体内にその下側から挿入し、増毛貼着シートの外周部が外側円筒体の下面に対接する挿入状態で内側円筒体の上方開口部にキャップ体を差し込んで増毛用髪の上部を内側円筒体に止めるように構成したことを特徴とする増毛用スティック。
【発明の詳細な説明】
【技術分野】
【０００１】  本発明は増毛用髪が植設された増毛貼着シートを頭皮に貼り着けて増毛する際に、増毛貼着シートを押え付けて頭皮に圧着する増毛用スティックに関する。
【技術背景】
【０００２】  従来、この種の増毛用スティックとしては、円筒体を用い、該円筒体内にその下側から円形状で剥離紙付きの増毛貼着シートに植設されたの増毛用髪を挿入し、その挿入状態で円筒体の上方開口部にストッパー体を差し込んで増毛用髪を円筒体にセットしておく構成となっている。
【０００３】  そして、増毛貼着作業時には、増毛貼着シートから剥離紙を外し、円筒体を持って増毛貼着シートを所望する貼り着け位置に位置させたうえで、円筒体の下端面により増毛貼着シートの周囲を的確に押え付けてしわが付いたり縁がめくれたり或いは破れたりすることなく頭皮に貼り付け、その後、ストッパーを外したうえで円筒体を増毛用髪から抜いて用いるようにしている。
【特許文献１】  特開２００６−２２５８２８号公報。
【発明の開示】
【発明が解決しようとする課題】
【０００４】  ところが、上記した増毛用スティックによれば、円筒体を用いることにより、増毛貼着シートをしわ付きなくしかも思い通りの位置に正確に貼り付けることができるけれども、一つの円筒体の下端により増毛貼着シートの周囲を頭皮に押え付けて貼り付ける構成であるため、貼着シートを押し付ける場所が増毛貼着シートの周囲に限られ、その圧着力が貼着シートの広範囲に及ばないものであった。【０００５】  そこで、本発明は増毛貼着シートを思い通りの位置に正確にかつしわ付きなく貼り付けることができながら、しかも増毛貼着シートを広範囲に頭皮に押え付けて確実に貼り付けることができる増毛用スティックの提供を課題とする。
【課題を解決するための手段】
【０００６】  上記課題を解決するため、本願の請求項１に記載の発明は、外側円筒体と、外側円筒体内に挿入可能な内側円筒体と、内側円筒体の上方開口部に差し込み可能なキャップ体とからなり、外側円筒体の内面下部に下端から上方に延び、その上端から周方向延びる逆Ｌ状のガイド溝を複数形成する一方、内側円筒体を外側円筒体よりも長く形成すると共に、内側円筒体の下部に上記ガイド溝に突入可能な複数の突起部を突設して、内側円筒体を外側円筒体の下方から挿入して上記突起部をガイド溝に沿わせて上方に移動させ周方向に回転させることにより内側円筒体を外側円筒体の下面よりも上方に位置する組付位置に保持可能としたことを特徴とする。【０００７】  また、本願の請求項２に記載の発明は、増毛用髪が植設された剥離紙付きの円形状増毛貼着シートを用い、増毛貼着シートにおける増毛用髪を組付位置に保持した内側円筒体内にその下側から挿入し、増毛貼着シートの外周部が外側円筒体の下面に対接する挿入状態で内側円筒体の上方開口部にキャップ体を差し込んで増毛用髪の上部を内側円筒体に止めるように構成したことを特徴とする。
【発明の効果】
【０００８】  本発明の増毛用スティックによれば、上記した構成により、増毛貼着時、増毛貼着シートから剥離紙を外し、そのうえで外側円筒体を持って該円筒体の下端面に対接された増毛貼着シートを所望する貼り着け位置に正確に位置させ、外側円筒体の下端面により増毛貼着シートの周囲を頭皮に押し付けることにより、増毛貼着シートの周囲を的確に押え付けてしわが付いたり縁がめくれたり或いは破れたりすることなく頭皮に貼り付けることができ、しかも、キャップ体を外して内側円筒体を外側円筒体内のガイド溝に沿って戻し方向に回転させた後下方に押し込むことにより、内側円筒体の下端面で増毛貼着シートの上記外周貼着部分のさらに内側部分を頭皮に押え付けて増毛貼着シートをより強固にかつ広範囲にわたって確実に圧着することができる。その後、外側円筒体を内側円筒体に対して持ち上げて取り外し、然る後、内側円筒体を増毛用髪から引き抜くことにより簡単容易に貼着増毛作業を終了することができる。
【発明を実施するため最良の形態】
【０００９】  以下、本発明の実施の形態を図面に基づいて説明する。
図は、本発明に係る増毛用スティックを示すもので、該スティック１は外側円筒体２と、外側円筒体２内に挿入可能な内側円筒体３と、内側円筒体３の上方開口部３１に差し込み可能なキャップ体４とからなる。
【００１０】  そして、外側円筒体２の内面下部に下端から上方に延び、その上端から周方向延びる逆Ｌ状のガイド溝２１を複数（図では４個）形成する一方、内側円筒体３を外側円筒体２よりも長く形成すると共に、内側円筒体３の下部に上記ガイド溝２１に突入可能な複数（図では４個）の突起部３２を突設して、内側円筒体３を外側円筒体２の下方から挿入して上記突起部３２をガイド溝２１に沿わせて上方に移動させ周方向に回転させることにより内側円筒体３を外側円筒体２の下面よりも上方に位置する組付位置に保持可能に構成している。また、キャップ体４は軟質合成樹脂からなり、その一側部にはキャップ体４取り外し用の摘み部４１を連設している。
【００１１】  一方、図１に示すように増毛用髪５が植設された剥離紙６付きの円形状増毛貼着シート７を用い、該シート７の外周部の径は外側円筒体２の外径とほぼ同径に形成している。そして、この増毛貼着シート７は、外側円筒体２に内側円筒体３を上記した組付位置に保持した状態でキャップ体を外し、その状態のもとで、内側円筒体３内にその下側から増毛貼着シート７の増毛用髪５を挿入し、増毛貼着シート７の外周部が外側円筒体２の下端面に対接して引っ掛かった挿入状態で内側円筒体３の上方開口部３１にキャップ体４を差し込んで増毛用髪５の上部を内側円筒体３に止めるように構成している。
【００１２】  次に、以上のように構成される増毛用スティックの作用について説明する。
図１に示す増毛用スティック１を用いて頭皮Ａの所定位置に増毛貼着する場合、まず、増毛用スティック１を電子レンジで温めた後、増毛貼着シート７から剥離紙６を取り外す。そのうえで外側円筒体２を介して該円筒体２の下端面に対接された増毛貼着シート７を頭皮Ａの所望する貼り着け位置に正確に位置させ、図６に示すように外側円筒体２の下端面により増毛貼着シート７の外周部分を的確に押え付けてしわが付いたり縁がめくれたり或いは破れたりすることなく頭皮Ａに貼り付ける。次に、内側円筒体３からキャップ体４を外し、内側円筒体３を外側円筒体４内のガイド溝２１に沿って戻し方向に回転させた後下方に押し込む。これにより、図７に示すように内側円筒体３の下端面で増毛貼着シート７の貼着外周部分のさらに内側部分を頭皮Ａに押え付けて増毛貼着シート７をより強固にかつ広範囲にわたって圧着する。その後、外側円筒体２を内側円筒体３に対して持ち上げて取り外し、然る後、内側円筒体３を増毛用髪５から抜いて貼着増毛作業を終了する。
【００１３】  なお、頭皮Ａに貼着した増毛用髪５が長すぎる場合はハサミで自然な髪形となるようにカットする。
【００１４】  以上のように本発明の増毛用スティック１によれば、増毛貼着時、増毛貼着シート７から剥離紙６を外し、そのうえで外側円筒体２を持って該円筒体２の下端面に対接された増毛貼着シート７を所望する貼り着け位置に正確に位置させ、かつ外側円筒体２の下端面により増毛貼着シート７の周囲を頭皮Ａに押し付けることにより、増毛貼着シート７の周囲を的確に押え付けてしわが付いたり縁がめくれたり或いは破れたりすることなく頭皮Ａに貼り付けることができる。しかも、キャップ体４を外して内側円筒体３を外側円筒体２内のガイド溝２１に沿って戻し方向に回転させた後下方に押し込むことにより、内側円筒体３の下端面で増毛貼着シート７の上記外周貼着部分のさらに内側部分を頭皮Ａに押え付けて増毛貼着シート７をより強固にかつ広範囲にわたって確実に圧着することができる。その後、外側円筒体２を内側円筒体３に対して持ち上げて取り外し、然る後、内側円筒体２を増毛用髪５から引き抜くことにより簡単容易に貼着増毛作業を終了することができる。
【図面の簡単な説明】
【００１５】
【図１】  本発明に係る増毛用スティックに増毛用髪をセットした状態の縦断面図である。
【図２】  同増毛用スティックの正面図である。
【図３】  同増毛用スティックの平面図である。
【図４】  同増毛用スティックの底面図である。
【図５】  同増毛用スティックの分解正面図である。
【図６】  増毛用スティックの使用状態の説明図である。
【図７】  さらに増毛用スティックの使用状態の説明図である。
【符号の説明】
【００１６】  １        増毛用スティック
２        外側円筒体
３        内側円筒体
４        キャップ体
５        増毛用髪
６        剥離紙
７        増毛貼着シート
【図１】
2008274504.tif 000003
【図２】
2008274504.tif 000004
【図３】
2008274504.tif 000005
【図４】
2008274504.tif 000006
【図５】
2008274504.tif 000007
【図６】
2008274504.tif 000008
【図７】
2008274504.tif 000009